(57)【要約】【課題】設置場所の使用用途に応じて照明機器を制御する照明機器制御装置を提供する。【解決手段】設備機器を制御する照明機器制御装置が、操作画面の表示を行う表示部１と、操作内容の入力を行う入力部２と、入力された操作内容に基づいて操作内容の対象機器を制御する操作処理部３と、制御対象の機器のうちの照明機器の設置場所と、設置場所に対応した照明制御内容と、を記憶する記憶部４と、を備える。操作処理部３は、点灯中の照明機器を、その照明機器の設置場所に応じた照明制御内容に制御する。【選択図】図２
2012227046.tif 000002
【特許請求の範囲】
【請求項１】
照明機器制御のための操作画面の表示を行う表示部と、
使用者の操作に応じて操作内容が入力される入力部と、
入力された前記操作内容に基づいて当該操作内容の対象照明機器を制御する操作処理部と、
前記照明機器の設置場所と、当該設置場所に対応した照明制御内容と、を記憶する記憶部と、
を備え、
前記操作処理部は、前記記憶部を参照して、前記照明機器を、当該照明機器の設置場所に応じた照明制御内容に制御する
ことを特徴とする照明機器制御装置。
【請求項２】
通信により天気情報を取得する天気取得部を備え、
前記記憶部は、１または複数の前記設置場所に対して、前記設置場所に応じた照明制御内容として、前記天気情報に対応した外光照明制御内容を記憶し、
前記操作処理部は、前記天気情報に対応した照明を行う設置場所にある前記照明機器を、前記天気取得部によって取得された天気情報と対応する前記外光照明制御内容に制御する
ことを特徴とする請求項１に記載の照明機器制御装置。
【請求項３】
前記天気情報に対応した照明を行う外光モードを設定する外光モード設定部と、時刻情報を取得する時刻取得部と、を備え、
前記外光モード設定部は、前記時刻取得部によって取得された時刻情報が、あらかじめ設定された外出準備時間帯になると前記外光モードを設定し、
前記記憶部は、１または複数の前記設置場所に対して、前記外光モード用の前記設置場所に応じた照明制御内容として前記外光照明制御内容を記憶し、
前記操作処理部は、前記天気情報に対応した照明を行う設置場所にある前記照明機器を、前記外光モードが設定されている場合には前記天気取得部によって取得された天気情報と対応する前記外光照明制御内容に制御する
ことを特徴とする請求項２に記載の照明機器制御装置。
【請求項４】
前記天気情報に対応した照明を行う外光モードを設定する外光モード設定部と、日付および時刻の日時情報を取得する時刻取得部と、日付と当該日付での外出時間とを有するスケジュール、を取得するスケジュール取得部と、を備え、
前記外光モード設定部は、前記スケジュール中の外出時間の、あらかじめ設定された準備時間だけ前の時間になると前記外光モードを設定し、
前記記憶部は、１または複数の前記設置場所に対して、前記外光モード用の前記設置場所に応じた照明制御内容として前記外光照明制御内容を記憶し、
前記操作処理部は、前記天気情報に対応した照明を行う設置場所にある前記照明機器を、前記外光モードが設定されている場合には前記天気取得部によって取得された天気情報と対応する前記外光照明制御内容に制御する
ことを特徴とする請求項２に記載の照明機器制御装置。
【請求項５】
前記スケジュール取得部は、外出先と当該外出の日時とを有するスケジュール、を取得し、
前記天気取得部は、前記スケジュール中の外出先の天気情報を取得する
ことを特徴とする請求項４に記載の照明機器制御装置。
【請求項６】
前記外光モードによる制御の対象となる前記設置場所に存在する人物が誰であるかの人物識別情報を取得する人物情報取得部を備え、
前記スケジュール取得部は、外出先と当該外出の日時と当該外出をする人物とを有するスケジュール、を取得し、
前記天気取得部は、前記スケジュール中の、前記人物情報取得部により取得された人物の外出先の天気情報を取得する
ことを特徴とする請求項５に記載の照明機器制御装置。
【発明の詳細な説明】
【技術分野】
【０００１】
本願発明は、設備を制御する照明機器制御装置に関するものである。
【背景技術】
【０００２】
従来から、個々の照明機器を、それぞれ個別に設置場所まで赴いて制御するのではなく、一箇所で集中的に制御できる機器制御装置が存在する。これにより、例えば玄関口で、廊下と部屋の照明をまとめて点灯させることが可能となる。また例えば寝室等で、部屋の中の主照明を消灯させ、読書灯のみ点灯させる制御の入力を、手元の照明機器制御装置で一度に行うことができる。さらに、このような照明制御装置において、照明機器の点灯中に一定の照明条件を持続させるものの他に、周辺環境に合わせて照明を制御する照明機器制御装置も発明されている。これは、屋内環境においては、時間の流れや季節感を感じることが難しいため、時間の流れの把握や気分転換を目的としたものである。例えば、特開平５−５４９７６号公報（特許文献１）に示される屋内照明システムは、屋外の自然環境に応じて多種の色温度で屋内を照明するものである。この屋内照明システムは、あらかじめ赤・緑・青からなる光源の光量を多数パターン化して変化させるように記憶している。そして、色彩色差計を含む外況情報入手手段によって屋外の自然環境の情報を入手してデジタル化し、これを演算することで出力される多数のパターン信号により、記憶されている各光源の光量を選択する。この屋内照明システムによって、例えば屋外で日差しが厳しいときには屋内は涼しい色温度にすることができ、照明環境に気分転換やリラクゼーションの動機を与えることができる。
【先行技術文献】
【特許文献】
【０００３】
【特許文献１】特開平５−５４９７６号公報
【発明の概要】
【発明が解決しようとする課題】
【０００４】
しかしながら、上記特許文献１に示された従来の屋内照明システムでは、周囲の環境やシーンを考慮した照明は行われるものの、場所の使用用途に応じた照明は行われないという問題が存在した。
【０００５】
本願発明は、このような従来の課題を解決するものであり、設置場所の使用用途に応じて照明機器を制御する照明機器制御装置を提供することを目的としている。
【課題を解決するための手段】
【０００６】
上記課題を解決するために、本願発明の照明機器制御装置は、表示部と入力部と操作処理部と記憶部とを備える。表示部は照明機器制御のための操作画面の表示を行い、入力部は使用者の操作に応じて操作内容が入力される。操作処理部は、入力された操作内容に基づいてその操作内容の対象照明機器を制御する。記憶部は、照明機器の設置場所と、設置場所に対応した照明制御内容と、を記憶する。そして、操作処理部は、記憶部を参照して、照明機器を、その照明機器の設置場所に応じた照明制御内容に制御することを特徴とする。
【０００７】
この照明機器制御装置は、通信により天気情報を取得する天気取得部を備えてもよい。このとき記憶部は、１または複数の設置場所に対して、設置場所に応じた照明制御内容として、天気情報に対応した外光照明制御内容を記憶する。また、操作処理部は、天気情報に対応した照明を行う設置場所にある照明機器を、天気取得部によって取得された天気情報と対応する外光照明制御内容に制御する。
【０００８】
さらに、この照明機器制御装置は、天気情報に対応した照明を行う外光モードを設定する外光モード設定部と、時刻情報を取得する時刻取得部と、を備えてもよい。このとき、外光モード設定部は、時刻取得部によって取得された時刻情報が、あらかじめ設定された外出準備時間帯になると外光モードを設定する。記憶部は、１または複数の設置場所に対して、外光モード用の設置場所に応じた照明制御内容として外光照明制御内容を記憶する。操作処理部は、天気情報に対応した照明を行う設置場所にある照明機器を、外光モードが設定されている場合には、天気取得部によって取得された天気情報と対応する外光照明制御内容に制御する。
【０００９】
また、天気情報に対応した照明を行う外光モードを設定する外光モード設定部と、日付および時刻の日時情報を取得する時刻取得部と、日付とその日付での外出時間とを有するスケジュール、を取得するスケジュール取得部と、を備えてもよい。このとき、外光モード設定部は、スケジュール中の外出時間の、あらかじめ設定された準備時間だけ前の時間になると外光モードを設定する。記憶部は、１または複数の設置場所に対して、外光モード用の設置場所に応じた照明制御内容として外光照明制御内容を記憶する。操作処理部は、天気情報に対応した照明を行う設置場所にある照明機器を、外光モードが設定されている場合には、天気取得部によって取得された天気情報と対応する外光照明制御内容に制御する。
【００１０】
そして、スケジュール取得部は、外出先とその外出の日時とを有するスケジュール、を取得し、天気取得部は、スケジュール中の外出先の天気情報を取得してもよい。
【００１１】
この照明機器制御装置は、さらに、外光モードによる制御の対象となる設置場所に存在する人物が誰であるかの人物識別情報を取得する人物情報取得部を備えてもよい。このとき、スケジュール取得部は、外出先とその外出の日時と外出をする人物とを有するスケジュール、を取得する。天気取得部は、スケジュール中の、人物情報取得部により取得された人物の外出先の天気情報を取得する。
【発明の効果】
【００１２】
本願発明の照明機器制御装置は、照明機器が設置されている場所ごとに制御内容を設定するので、設置場所の使用用途に応じて照明機器を制御することができるという効果がある。
【図面の簡単な説明】
【００１３】
【図１】本願発明の実施形態１にかかる照明機器制御装置を用いたシステムの構成図
【図２】本願発明の実施形態１にかかる照明機器制御装置の構成図
【図３】本願発明の実施形態１における記憶部４の記憶テーブルの一例を示す図
【図４】本願発明の実施形態１にかかる照明機器制御装置の点灯制御時におけるフローチャート
【図５】本願発明の実施形態１にかかる照明機器制御装置の外光モード変更時におけるフローチャート
【図６】本願発明の実施形態１における記憶部４の記憶テーブルの別の例を示す図
【図７】本願発明の実施形態１にかかる照明機器制御装置の外光モード設定がない場合の構成図
【図８】本願発明の実施形態１にかかる照明機器制御装置の、外光モードがなく天気情報の自動取得もない場合の構成図
【図９】本願発明の実施形態１における、天気情報を入力する場合における記憶部４の記憶テーブルの一例を示す図
【図１０】本願発明の実施形態１にかかる、天気情報を入力する場合における照明機器制御装置のフローチャート
【図１１】本願発明の実施形態１における、天気情報に応じた制御を行わない場合の記憶部４の記憶テーブルの一例を示す図
【図１２】本願発明の実施形態２にかかる照明機器制御装置の構成図
【図１３】本願発明の実施形態２における記憶部４の記憶テーブルの一例を示す図
【図１４】本願発明の実施形態２にかかる照明機器制御装置の、外光モード設定および解除を行う際のフローチャート
【図１５】本願発明の実施形態２にかかる照明機器制御装置の、外光モードを導入しない場合の点灯制御時におけるフローチャート
【図１６】本願発明の実施形態２にかかる照明機器制御装置の、外光モードを導入しない場合の、外出準備時間検出時および外出準備時間経過時におけるフローチャート
【図１７】本願発明の実施形態３にかかる照明機器制御装置の構成図
【図１８】本願発明の実施形態３における記憶部４の記憶テーブルの一例を示す図
【図１９】本願発明の実施形態３にかかる照明機器制御装置の点灯制御時におけるフローチャート
【発明を実施するための形態】
【００１４】
以下、本願発明に係る実施形態について図面を用いて説明する。なお、各図において同一の符号を付した構成は、同一の構成であることを示し、その説明を省略する。ただし、以下の実施形態は本願発明の実施例を示したに過ぎず、本願発明はこれに限定されるものではない。
【００１５】
＜実施形態１＞
本願発明の第１の実施形態を図１、図２に示す。この照明機器制御装置は、例えば図１のように、屋内の照明機器に接続されて、これらの照明機器を制御する。図１では照明機器のみが接続されているが、照明機器に加えて、エアコンなど他の機器が接続されてもよい。また、この照明機器制御装置は、インターネットを介して外部のサーバから天気等の情報を取得する。
【００１６】
本実施形態の概要を述べると、この照明機器制御装置は、表示部１と入力部２と操作処理部３と記憶部４とを備える。表示部１は照明機器制御のための操作画面の表示を行い、入力部２は使用者の操作に応じて操作内容が入力される。操作処理部３は、入力された操作内容に基づいてその操作内容の対象照明機器を制御する。記憶部４は、照明機器の設置場所と、設置場所に対応した照明制御内容と、を記憶する。そして、操作処理部３は、記憶部４を参照して、照明機器を、その照明機器の設置場所に応じた照明制御内容に制御する。
【００１７】
この照明機器制御装置は、通信により天気情報を取得する天気取得部５を備える。このとき記憶部４は、１または複数の設置場所に対して、設置場所に応じた照明制御内容として、天気情報に対応した外光照明制御内容を記憶する。また、操作処理部３は、天気情報に対応した照明を行う設置場所にある照明機器を、天気取得部５によって取得された天気情報と対応する外光照明制御内容に制御する。
【００１８】
さらに、この照明機器制御装置は、天気情報に対応した照明を行う外光モードを設定する外光モード設定部６と、時刻情報を取得する時刻取得部７と、を備える。このとき、外光モード設定部６は、時刻取得部７によって取得された時刻情報が、あらかじめ設定された外出準備時間帯になると外光モードを設定する。記憶部４は、１または複数の設置場所に対して、外光モード用の設置場所に応じた照明制御内容として外光照明制御内容を記憶する。操作処理部３は、天気情報に対応した照明を行う設置場所にある照明機器を、外光モードが設定されている場合には、天気取得部５によって取得された天気情報と対応する外光照明制御内容に制御する。
【００１９】
ここから、本実施形態の照明機器制御装置を具体的に説明する。
表示部１および入力部２は、タッチパネルであり、操作画面の表示および操作内容の入力を行う。この画面表示は、一画面で全ての情報を表示するのではなく、階層的に情報を表示するものでもよい。なお、表示部１はタッチパネルではなく、入力部２を別に設けるようにしてもよい。例えば、液晶パネル等の表示部１と、十字キーなどのボタン部を有する入力部２とであり、タッチ入力ではなく十字キー等で表示部１に表示されている内容を選択することにより入力するものであってもよい。
【００２０】
操作処理部３は、入力部２から入力された操作内容に基づいて、その操作内容の対象機器を制御する。例えば照明機器の場合は、点灯や消灯、光の色や明るさの調節などの操作内容が入力されると、その対象の照明機器の操作を行う。このとき、外光モードが設定されていない場合であれば、照明の色や明るさを、記憶部４に記憶されている、その照明機器の設置場所に応じた、通常の照明制御内容、に制御して点灯する。ただし、照明の色や明るさの調節に関する操作内容が入力された場合は、入力された操作内容に従って照明の色や明るさを制御する。また、操作処理部３は、外光モード設定中には、記憶部４を参照し、天気情報に対応した照明を行う設置場所にある照明機器、すなわち、外光照明制御内容の設定のある、外光モードの対象の照明機器を、天気取得部５によって取得された天気情報に対応する外光照明制御内容に制御する。つまり、外光モード設定中に、外光モードの対象となっている照明機器に対して点灯の操作内容が入力された場合、外光照明制御内容に従った色や明るさで、その照明機器を点灯させる。また、照明機器の点灯中に外光モードが設定された場合にも、点灯中の照明機器の中に外光モード対象の照明機器があれば、その照明機器の色や明るさを外光照明制御内容に従い変更する。なお、外光モード中であっても、照明の色や明るさ調節に関する操作内容が入力された場合は、入力された操作内容に従って色や明るさを制御する。外光モードが解除されると、操作処理部３は、外光照明制御内容に従って制御していた照明機器の色や明るさを、通常の照明制御内容に従った色や明るさに変更する。
【００２１】
記憶部４は、制御対象の照明機器の設置場所と、設置場所に対応した通常の照明制御内容と、を記憶する。照明制御内容とは、照明の色や明るさの設定値のことである。色の設定としては、ＲＧＢ値を指定することによる設定や、色の３属性である明度・彩度・色相を指定することによる設定が考えられる。明るさ、つまり照明の強さの設定としては、照度を指定することによる設定が考えられる。なお、明るさについては、特に指定しなくても構わない。照明制御内容は、例えばリビングは暖色よりの白、キッチンは明るい白、トイレは暗めの暖色、といった調光内容を、数値として設定したものである。照明制御内容は、入力部２により入力されるものでもよいし、外部サーバ等からダウンロードされるものでもよい。入力部２により入力される場合、直接、調光数値を入力するようにしてもよいし、選択肢の中から選択するようにしてもよい。設定の方法は限定しない。さらに、記憶部４は、１または複数の設置場所に対しては、外光モード用の、設置場所に応じた照明制御内容、として、天気情報に対応した外光照明制御内容を記憶する。また、外出準備時間帯を記憶する。図３に記憶テーブルの例を示すように、記憶部４は、照明機器の設置場所、設置場所に対応する照明制御内容、外光モードに対応する設置場所、天気情報に対応する外光照明制御内容、外出準備時間帯を記憶する。これらの記憶内容のうち、少なくとも外出準備時間帯は入力部２を経由して入力される。外出準備時間帯以外の記憶内容は、上記の照明制御内容と同様に、入力部２を経由して入力されてもよいし、ダウンロードされてもよい。また、外光照明制御内容は既定値として設定されていてもよい。
【００２２】
天気取得部５は、インターネットを介して、外部サーバと通信したり、例えば気象庁のサービスを利用することにより、機器制御装置が設置されている地域の天気情報を取得する。
【００２３】
外光モード設定部６は、入力手段を備え、外光モードの設定と解除を行う。外光モードとは、天気情報に対応した照明を行うモードであり、晴れや雨などといった天気情報に対して、天気情報ごとに定められた、外光に近い制御内容で照明を行うモードのことである。入力手段は、つまみ等の専用の入力手段でもよいし、入力部２が兼ねてもよい。また、外光モード設定部６は、あらかじめ設定された外出準備時間帯になると自動的に外光モードを設定し、外出準備時間帯が過ぎると自動的に外光モードを解除する。
【００２４】
時刻取得部７は、ＲＴＣ（Ｒｅａｌ  Ｔｉｍｅ  Ｃｌｏｃｋ）を有し、時刻情報を取得する。日付情報も取得するようにしてもよい。手動設定により時刻設定を行う通常の時計や電波時計などを有して時刻情報を取得してもよい。別機器から時刻情報を取得するようにしてもよい。また、時刻取得部６は、例えばＧＰＳアンテナなどを有して時刻情報を受信してもよい。
【００２５】
次に、上述のように構成された照明機器制御装置の、点灯制御が入力された場合の動作について、図４に示すフローを用いて説明する。
【００２６】
まず、照明機器制御装置が入力部２を介して照明機器点灯の操作内容を受信する（ステップＳ１）。操作処理部３は、外光モードが現在設定中であれば（ステップＳ２でＹｅｓ）、点灯制御の対象照明機器が、外光モード対象の設置場所にある照明機器、つまり外光モード対象の照明機器であるかを確認する。外光モード対象の照明機器であれば（ステップＳ３でＹｅｓ）、操作処理部３は、天気取得部５により取得された天気情報を参照する（ステップＳ４）。そして、操作処理部３は、記憶部４を参照し、天気情報に対応した外光照明制御内容に従った色や明るさで、点灯制御の対象照明機器を点灯させる（ステップＳ５）。
【００２７】
外光モードが設定中でなければ（ステップＳ２でＮｏ）、操作処理部３は、記憶部４を参照し、点灯制御の対象照明機器の設置場所に応じた通常の照明制御内容でその照明機器を点灯させる（ステップＳ６）。外光モードが設定中であっても（ステップＳ２でＹｅｓ）、点灯制御の対象照明機器が外光モード対象の照明機器でなければ（ステップＳ３でＮｏ）、操作処理部３は、設置場所に応じた通常の照明制御内容で点灯制御の対象照明機器を点灯させる（ステップＳ６）。
【００２８】
また、外光モードが設定されたとき、および外光モードが解除されたときの動作について、図５に示すフローを用いて説明する。
【００２９】
まず、外光モードが設定されると（ステップＳ１０１）、操作処理部３は、外光モード対象の照明機器が点灯しているかを確認する。外光モード対象の照明機器が点灯しているならば（ステップＳ１０２でＹｅｓ）、操作処理部３は、天気取得部５により取得された天気情報を参照し（ステップＳ１０３）、また記憶部４を参照して、外光モード対象の照明機器を、天気情報に対応した外光照明制御内容の色や明るさに制御する（ステップＳ１０４）。
【００３０】
外光モードが解除されると（ステップＳ２０１）、操作処理部３は、外光モード対象の照明機器が点灯しているかを確認する。外光モード対象の照明機器が点灯しているならば（ステップＳ２０２でＹｅｓ）、操作処理部３は、記憶部４を参照して、外光モード対象の照明機器を、設置場所に応じた通常の照明制御内容の色や明るさに制御する（ステップＳ２０３）。
【００３１】
このように、本実施形態の照明機器制御装置は、照明機器が設置されている場所に応じた照明制御内容を記憶し、この照明制御内容で照明機器の制御を行う。これにより、使用者による照明の使用用途が場所ごとに異なる場合、使用用途に応じて、指定場所に設置されている照明機器を自動で制御できる。例えば部屋ごとなど、用途が異なる場所単位ごとの設定変更が容易であり、より使い勝手のよい機器制御装置が実現できる。また、照明の色を照明制御内容として設定することで、より使用用途に即した制御が可能となる。
【００３２】
また、本実施形態の照明機器制御装置は、取得した天気情報に応じて定められた、屋外での光（外光）に近い制御内容で照明制御を行う。このため、使用者は、手動で細かい調光操作をすることなく、屋内にいながら外光色を認識できる。これにより、例えば身支度を整える際、そのときの屋外に近い光の下で、衣服を選んだり化粧を行ったりすることが可能となる。
【００３３】
本実施形態の照明機器制御装置は、あらかじめ設定された外出準備時間帯に、所定の場所に設置されている点灯中の照明機器を、取得した天気情報に応じて定められた、屋外での光（外光）に近い制御内容で照明制御を行う。これにより、不必要な時間帯における外光照明制御内容での照明制御を防止できる。また、外出準備時間帯には、使用者は手動で細かい調光操作をすることなく屋内にいながら外光色を認識できる。外出準備時間帯以外では外光に関係のない通常の制御内容での制御も可能である。
【００３４】
本実施形態の照明機器制御装置は、表示部１を備え、表示部１の表示内容を利用して入力部２により入力を行う。これにより、複数の機器について専用の入力部を設けなくとも、それぞれに対する操作内容を入力できる。このため、操作対象の機器が多い場合にも一つの入力部２で操作内容の入力が可能である。また、各機器に対応するハードウェア入力部を備える機器制御装置と異なり、操作対象機器に増減や変更があっても照明機器制御装置自体を取り替えずに対応可能である。さらに、本実施形態では、表示部１および入力部２がタッチパネルであるので、より簡便な入力が可能となる。
【００３５】
なお、本実施形態では、外光モード対象の設置場所を設け、外出準備時間帯にはその設置場所に設置されている照明機器を外光照明制御内容で制御する。しかし、図６に記憶部４の記憶テーブルの例を示すように、外光モード対象の設置場所を外出準備時間帯ごとに設定してもよい。
【００３６】
本実施形態の照明機器制御装置は、外光モードを導入し、操作処理部３は、外光モード設定中か否かによって、通常の照明制御内容で制御するか外光照明制御内容で制御するかを判断する。しかし、外光モードを導入せず、操作処理部３が時刻情報および記憶部４を参照することにより、外光照明制御内容で制御するべきかを判断するようにしてもよい。その場合は、図４に示す動作フローのステップＳ２において、操作処理部３は、外光モード設定中か否かではなく、外出準備時間帯であるか否かを確認することになる。また、図５に示す動作フローのステップＳ１０１およびステップＳ２０１において、操作処理部３は、外光モードの設定および解除を検出するのではなく、外出準備時間帯になったことおよび外出準備時間帯が終わったことを検出する。
【００３７】
また、本実施形態では、あらかじめ設定された外出準備時間帯になると外光モードを設定し、外光モード対象の照明機器を外光照明制御内容で制御する。しかし、この構成はなくてもよい。この場合は、外光モード設定部６を備え、手入力により外光モードを設定してもよいし、外光モード設定部６も備えず、従って外光モードもなく、指定場所（天気情報に対応した照明を行う設置場所）にある照明機器は常に外光照明制御内容で制御するようにしてもよい。このとき、構成図は図７のようになる。
【００３８】
さらに、本実施形態では、指定場所（天気情報に対応した照明を行う設置場所）にある照明機器を、取得した天気情報に応じて定められた、屋外での光（外光）に近い制御内容で制御する。しかし、この構成はなくてもよい。外光モードがなく、自動で天気情報を取得する構成もない場合の構成図は図８のようになる。
【００３９】
例えば、図９に記憶部４の記憶テーブルの一例を示すように、照明制御内容に、天気情報に対応した制御内容を含むようにしてもよい。つまり、記憶部４は、入力情報としての天気情報に対応する、制御対象の設置場所と外光照明制御内容を記憶し、操作処理部３は、この記憶テーブルに従って点灯中の照明機器を制御するようにしてもよい。この場合の動作は図１０に示すフローのようになる。まず、入力部２を介して天気入力を受信すると（ステップＳ３０１）、操作処理部３は、天気入力に対応した制御の対象の設置場所にある照明機器が点灯しているかを確認する。対象の照明機器が点灯しているならば（ステップＳ３０２でＹｅｓ）、操作処理部３は、記憶部４を参照して、対象の照明機器を、設置場所に応じた外光照明制御内容の色や明るさに制御する（ステップＳ３０３）。
【００４０】
また、例えば、外光照明制御内容の設定がなく、図１１に記憶部４の記憶テーブルの一例を示すように、記憶部４は照明機器の設置場所に応じた照明制御内容を記憶しており、操作処理部３は、この記憶テーブルに従って点灯中の照明機器を制御するようにしてもよい。
【００４１】
この照明機器制御装置は、照明機器の制御を行う装置であるが、制御対象の照明機器と一体となっていてもよい。
【００４２】
＜実施形態２＞
図１２に本願発明の第２の実施形態を示す。この照明機器制御装置は実施形態１と略同一の構成を一部備えているので、共通の構成については説明を省略し、特徴的な構成および作用効果についてのみ説明する。
【００４３】
本実施形態の概要を述べると、この照明機器制御装置は、表示部１と入力部２と操作処理部３と記憶部４とを備える。表示部１は照明機器制御のための操作画面の表示を行い、入力部２は使用者の操作に応じて操作内容が入力される。操作処理部３は、入力された操作内容に基づいてその操作内容の対象照明機器を制御する。記憶部４は、照明機器の設置場所と、設置場所に対応した照明制御内容と、を記憶する。そして、操作処理部３は、記憶部４を参照して、照明機器を、その照明機器の設置場所に応じた照明制御内容に制御する。
【００４４】
この照明機器制御装置は、通信により天気情報を取得する天気取得部５を備える。このとき記憶部４は、１または複数の設置場所に対して、設置場所に応じた照明制御内容として、天気情報に対応した外光照明制御内容を記憶する。また、操作処理部３は、天気情報に対応した照明を行う設置場所にある照明機器を、天気取得部５によって取得された天気情報と対応する外光照明制御内容に制御する。
【００４５】
さらに、天気情報に対応した照明を行う外光モードを設定する外光モード設定部６と、日付および時刻の日時情報を取得する時刻取得部７と、日付とその日付での外出時間とを有するスケジュール、を取得するスケジュール取得部８と、を備える。このとき、外光モード設定部６は、時刻取得部７によって取得された時刻情報が、スケジュール中の外出時間の、あらかじめ設定された準備時間だけ前の時間になると外光モードを設定する。記憶部４は、１または複数の設置場所に対して、外光モード用の設置場所に応じた照明制御内容として外光照明制御内容を記憶する。操作処理部３は、天気情報に対応した照明を行う設置場所にある照明機器を、外光モードが設定されている場合には、天気取得部５によって取得された天気情報と対応する外光照明制御内容に制御する。
【００４６】
ここから、本実施形態の照明機器制御装置を具体的に述べるが、表示部１、入力部２、操作処理部３、および天気取得部５については、実施形態１と同様である。
【００４７】
記憶部４は、図１３に記憶テーブルの例を示すように、照明機器の設置場所、設置場所に対応する照明制御内容、外光モードに対応する設置場所、天気情報に対応する外光照明制御内容、スケジュール、外出準備時間、を記憶する。なお、スケジュールについては、スケジュール取得部８が外部サーバや別機器からスケジュールを取得する際には記憶しなくてもよい。
【００４８】
外光モード設定部６は、スケジュール取得部８が取得したスケジュール中の外出時間の、あらかじめ設定された準備時間だけ前の時間になると、外出準備時間帯であるとして外光モードを設定する。例えば、外出時間が午前９時で、外出準備時間が６０分の場合は、午前９時の６０分前である午前８時になると外光モード設定部６は外光モードを設定する。なお、図１３に示した記憶テーブルのスケジュールのように、スケジュール中に外出準備時間帯が設定されている場合は、外光モード設定部６は、外出準備時間帯になると外光モードを設定する。例えば、外出時間が午前９時で、外出準備時間帯が午前７時３０分から午前９時の場合は、外出準備時間は午前７時３０分から午前９時の９０分である。この場合、外光モード設定部６は、たとえ外出準備時間が６０分と設定されていたとしてもスケジュールを優先し、午前９時の９０分前である午前７時３０分になると外光モードを設定する。外光モード設定部６は、外光モードの開始から外出準備時間が経過すると、外光モードを解除する。ここでも、スケジュール中に設定があれば、スケジュールに従う。スケジュールごとに外光モードの対象設置場所を指定してもよい。
【００４９】
時刻取得部７は、日付および時刻の日時情報を取得する。
スケジュール取得部８は、日付とその日付での外出時間とを有するスケジュール、を取得する。スケジュール取得部８は入力手段を備え、直接入力を受けることによりスケジュールを取得して、記憶部４に記憶させる。また、スケジュール取得部８は、例えば外部サーバや別機器からスケジュールを取得してもよい。このとき、スケジュール取得部８は、外部サーバや別機器が所持しているスケジュールを記憶部４に記憶させてもよいし、スケジュールを記憶部４で保持させずに、定期的に外部サーバや別機器が所持しているスケジュールを参照するようにしてもよい。
【００５０】
外光モードが設定されたとき、および外光モードが解除されたときの動作については、実施形態１と同様であるので説明を省略し、外光モードの設定および解除を行う流れについてのみ、図１４に示すフローを用いて説明する。
【００５１】
まず、スケジュール取得部８によりスケジュールが取得される（ステップＳ４０１）。そして、外光モード設定中であって（ステップＳ４０２でＹｅｓ）、時刻取得部７で取得された日時情報が、検出された外出日時に該当しているならば（ステップＳ４０３でＹｅｓ）、ステップＳ４０３の確認に戻る。外光モード設定中であって（ステップＳ４０２でＹｅｓ）、日時情報が外出日時に該当しなくなると（ステップＳ４０３でＮｏ）、外光モード設定部６は外光モードを解除する（ステップＳ４０４）。
【００５２】
一方、外光モード解除中であって（ステップＳ４０２でＮｏ）、時刻取得部７で取得された日時情報が、検出された外出日時に該当しているならば（ステップＳ４０５でＹｅｓ）、外光モード設定部６は外光モードを設定する（ステップＳ４０６）。外光モード解除中であって（ステップＳ４０２でＮｏ）、日時情報が外出日時に該当しないならば（ステップＳ４０５でＮｏ）、ステップＳ４０５の確認に戻る。
【００５３】
このように、本実施形態の照明機器制御装置は、あらかじめ設定されたスケジュールと連携し、所定の場所に設置されている点灯中の照明機器を、取得した天気情報に応じて定められた、屋外での光（外光）に近い制御内容で照明制御を行う。スケジュールから外出準備時間帯を取得または予測して制御を行うことで、不必要な時間帯における外光照明制御内容での照明制御を防止できる。また、日ごとに外出準備の時間帯が違う場合にも、スケジュール設定さえしておけば、外出準備時間帯を毎日入力し直さなくとも、使用者は手動で細かい調光操作をすることなく屋内にいながら外光色を認識できる。また、外出準備時間帯以外では外光に関係のない通常の制御内容での制御も可能である。
【００５４】
なお、本実施形態においても、実施形態１と同様、外光モードを導入せず、操作処理部３が日時情報および記憶部４を参照することにより、外光照明制御内容で制御するべきかを判断するようにしてもよい。この場合の点灯制御受信時の動作フローを図１５に示す。図１５に示す動作フローは、図４の動作フローとおおむね同様であるが、図４のステップＳ２にあたるステップＳ５０３で、操作処理部３は、外光モード設定中であるかを確認するのではなく、スケジュールを参照して、外出準備時間帯に該当するかを確認する。そして、図４のステップＳ３にあたるステップＳ５０４では、操作処理部３は、記憶部４あるいはスケジュールを参照し、受信した点灯制御の対象が外光照明制御の対照機器であるかを確認する。また、外出準備時間帯の検出時と外出準備時間帯経過の検出時における動作フローを図１６に示す。この動作フローも、図５の動作フローとおおむね同様であるが、図５のステップＳ１０１にあたるステップＳ６０２で、操作処理部３は、外光モードの設定を検出するのではなく、外出準備時間帯に入ったことを検出する。図５のステップＳ２０１にあたるステップＳ７０２では、操作処理部３は、外光モードの解除を検出するのではなく、外出準備時間帯が終わったことを検出する。
【００５５】
＜実施形態３＞
図１７に本願発明の第３の実施形態を示す。この照明機器制御装置は実施形態２と略同一の構成を備えているので、共通の構成については説明を省略し、特徴的な構成および作用効果についてのみ説明する。
【００５６】
本実施形態の照明機器制御装置においては、スケジュール取得部８は、外出先とその外出の日時とを有するスケジュール、を取得する。天気取得部５は、スケジュール中の外出先の天気情報を取得する。
【００５７】
また、この照明機器制御装置は、外光モードによる制御の対象となる設置場所に存在する人物が誰であるかの人物識別情報を取得する人物情報取得部９を備える。このとき、スケジュール取得部８は、外出先とその外出の日時と外出をする人物とを有するスケジュール、を取得する。天気取得部５は、スケジュール中の、人物情報取得部９により取得された人物の外出先の天気情報を取得する。
【００５８】
ここから、本実施形態の照明機器制御装置を具体的に述べるが、特に言及のない部分については実施形態２と同様である。
【００５９】
操作処理部３は、外光モード設定中には、記憶部４を参照し、スケジュールから、時刻取得部７が取得した時刻が外出準備時間帯に該当する外出先を特定する。そして、その外出先地域の天気情報を天気取得部５に取得させる。同じ照明機器設置場所に対し、同時刻に複数の人物がスケジュール登録をしている場合は、その照明機器設置場所にいる人物について、人物情報取得部９により取得された人物識別情報から、在室の人物を特定する。操作処理部３は、記憶部４のスケジュールを基に、特定された個人の外出先地域の天気情報を天気取得部５に取得させる。
【００６０】
記憶部４は、図１８に記憶テーブルの例を示すように、照明機器の設置場所、設置場所に対応する照明制御内容、外光モードに対応する設置場所、天気情報に対応する外光照明制御内容、スケジュール、外出準備時間、を記憶する。
【００６１】
天気取得部５は、操作処理部３からの指示に従い、スケジュール中の、外出先の天気情報、または、人物情報取得部９により取得された人物の外出先の天気情報を取得する。
【００６２】
スケジュール取得部８は、外出先とその外出の日時と外出をする人物とを有するスケジュール、を取得する。スケジュールは、記憶部４の記憶テーブルの例である図１８に記載されているような、時系列でスケジュールが記載されているものでもよいし、個人ごとにスケジュールが設定されているものでもよい。スケジュールの取得方法については実施形態２と同様である。
【００６３】
人物情報取得部９は、Ｗｅｂカメラに接続され、Ｗｅｂカメラからの検知画像を用いて人物解析を行い、外光モードによる制御の対象となる設置場所に存在する人物が誰であるかの人物識別情報を取得する。Ｗｅｂカメラは、天気情報に対応した照明を行う設置場所にそれぞれ設置されている。なお、人物情報取得部９はこれに限るものではなく、人物が識別できればよい。例えば、個人識別のための選択肢を入力することで行うようにしてもよいし、体重によって個人を特定してもよい。また、ＩＣチップなどを使用してもよい。
【００６４】
外光モードが設定されたとき、および外光モードが解除されたときの動作については、実施形態２と同様であるので説明を省略する。外光モードの設定および解除を行う流れについては、図１９に動作フローを示す。この動作フローは、図１５とおおむね同様であるが、図１５のステップＳ５０３とＳ５０４にあたる、ステップＳ８０３とＳ８０４との間で、操作処理部３は、人物情報取得部９により取得された人物識別情報から照明機器設置場所に存在する人物を特定する。そして、図１５のステップＳ５０４にあたるステップＳ８０５で、操作処理部３は、点灯制御の対象照明機器が、特定した人物のスケジュールでの外光照明制御対象の設置場所にある機器かどうかを確認する。
【００６５】
このように、本実施形態の照明機器制御装置は、あらかじめ設定されたスケジュールと連携し、スケジュールから特定した外出先の天気情報に応じた外光照明制御内容で照明制御を行う。このため、使用者は、外出先の外光により近い光の色を認識できる。これにより、例えば身支度を整える際、外出先の屋外に近い光の下で、衣服を選んだり化粧を行ったりすることが可能となる。
【００６６】
また、本実施形態の照明機器制御装置は、人物識別情報とスケジュールとに基づき、特定された人物の外出先の天気情報に応じた外光照明制御内容で照明制御を行う。このため、スケジュール中において、同時刻付近に複数の外出先が複数の人物によって指定されており、その外光モード対象の照明機器設置場所が同じであるような場合に効果的である。すなわち、その照明機器設置場所に誰が存在しているのかを特定し、特定された人物のスケジュールに基づいて制御を行うことができるので、間違った外出先の天気情報に応じた制御を防止することが可能となる。
【００６７】
なお、本実施形態においては、スケジュール中の、人物識別情報によって特定された人物の外出先に応じた外光照明制御を行うが、この構成はなくてもよい。このときスケジュール取得部８は、外出先とその外出の日時とを有するスケジュール、を取得すればよく、つまり、スケジュール取得部８により取得されるスケジュールに、外出をする人物が設定されていなくてもよい。天気取得部５は、スケジュール中の外出先の天気情報を取得する。このときの構成図は実施形態２と同様になる。
【符号の説明】
【００６８】
１  表示部
２  入力部
３  操作処理部
４  記憶部
５  天気取得部
６  外光モード設定部
７  時刻取得部
８  スケジュール取得部
９  人物情報取得部
【図１】
2012227046.tif 000003
【図２】
2012227046.tif 000004
【図３】
2012227046.tif 000005
【図４】
2012227046.tif 000006
【図５】
2012227046.tif 000007
【図６】
2012227046.tif 000008
【図７】
2012227046.tif 000009
【図８】
2012227046.tif 000010
【図９】
2012227046.tif 000011
【図１０】
2012227046.tif 000012
【図１１】
2012227046.tif 000013
【図１２】
2012227046.tif 000014
【図１３】
2012227046.tif 000015
【図１４】
2012227046.tif 000016
【図１５】
2012227046.tif 000017
【図１６】
2012227046.tif 000018
【図１７】
2012227046.tif 000019
【図１８】
2012227046.tif 000020
【図１９】
2012227046.tif 000021